【事件の表示】
　特許第２７４１３５０号「耕耘ロータリ作業機」の請求項（１ないし３）に係る特許に対する特許異議の申立てについて、次のとおり決定する。
【結　論】
　訂正を認める。
　特許第２７４１３５０号の請求項（１）に係る特許を維持する。
【理　由】
１．手続の経緯
　本件特許第２７４１３５０号は、平成６年１０月２８日に出願された特願平６−２８９２１１号として特許出願されたものであって、平成１０年１月３０日に設定登録がされ、その後、特許異議の申立てが、中島健一郎（以下、申立人という。）よりなされ、取消理由通知がされ、その指定期間内に訂正請求がなされものである。
　
２.訂正の適否のついての判断
(2-1)訂正の内容
　本件訂正の趣旨は、本件特許の明細書を平成１１年４月２６日付け訂正請求書に添付した訂正明細書のとおり次のように訂正しようとするものである。
(1)【特許請求の範囲】の「【請求項１】〜【請求項３】」の記載を、「【請求項１】耕耘爪軸（１７）上に複数の耕耘爪（１８）を植設させる耕耘ロータリ作業機において、耕耘爪軸（１７）軸芯を中心とする同一円周上に２本の耕耘爪（１８）（１８）を配設させ、先端側を同一側方に湾曲させた同一円周上の２本の耕耘爪（１８）（１８）のいずれか一方が地中に突入する間隔に２本の耕耘爪（１８）（１８）を取付け、先端側を同一側方に湾曲させた同一円周上の２本の耕耘爪（１８）（１８）の各運動軌跡（Ｌ２）（Ｌ２）を地中で前後に重複させ、先端側を同一側方に湾曲させた同一円周上の２本の耕耘爪（１８）（１８）を１８０度間隔で耕耘爪軸（１７）に取付けると共に、前記耕耘爪（１８）上側のロータリカバー（１９）後端に第１リヤカバー（２６）を上下方向に揺動自在に連結させ、第１リヤカバー（２６）後端に第２リヤカバー（２７）を介して第３リヤカバー（２８）前端を固定させ、第１リヤカバー（２６）と第３リヤカバー（２８）を左右一対のリンク（３１）によって連結させ、第１リヤカバー（２６）と第３リヤカバー（２６）の間に左右一対のガスダンバ（３７）を連結させたことを特徴とする耕耘ロータリ装置。」と訂正する。
　
(2)【0004】を、「【課題を解決するための手段】　然るに、本発明は、耕耘爪軸上に複数の耕耘爪を植設させる耕耘ロータリ作業機において、耕耘爪軸軸芯を中心とする同一円周上に２本の耕歳爪を配設させ、先端側を同一側方に湾曲させた同一円周上の２本の耕耘爪のいずれか一方が地中に突入する間隔に２本の耕耘爪を取付け、先端側を同一側方に湾曲させた同一円周上の２本の耕耘爪の各運動軌跡を地中で前後に重複させ、先端側を同一側方に曲させた同一円周上の２本の耕耘爪を１８０度間隔で耕耘爪軸に取付けると共に、前記耕耘爪上側のロータリカバー後端に第１リヤカバーを上下方向に揺動自在に連結させ、第１リヤカバー後端に第２リヤカバー）を介して第３リヤカバー前端を固定させ、第１リヤカバーと第３リヤカバーを左右一対のリンクによって連結させ、第１リヤカバーと第３リヤカバーの間に左右一対のガスダンパを連結させたもので、同一耕耘線上を２本の耕耘爪が移動することにより、耕耘爪の回数を一定に保って耕耘負荷を一定に維持し乍ら、残耕を発生させることなく、走行移動速度を、同一耕耘線上を１本の耕耘爪が移動する従来の約２倍の速さにして耕耘作業時間を従来の約２分の１に短縮し得、従来と略同一耕耘作業動力で耕耘作業能率を約２倍に向上させ得ると共に、前記の２本の耕耘爪の各運動軌跡を地中で前後に略等分に重複させ得、耕耘爪による耕耘深さを深くし得、かつ残耕を容易に低減し得るものである。」と訂正する。
　
(3)【0005】、及び、【0006】を削除し、【0007】〜【0030】を【0005】〜【0028】に、順次、変更する。
　
(4)【0031】を「【0029】【発明の効果】以上実施例から明らかなように本発明は、耕耘爪軸（１７）上に複数の耕耘爪（１８）を植設させる耕耘ロータリ作業機において、耕耘爪軸（１７）軸芯を中心とする同一円周上に２本の耕耘爪（１８）（１８）を配設させ、先端側を同一側方に湾曲させた同一円周上の２本の耕耘爪（１８）（１８）のいずれか一方が地中に突入する間隔に２本の耕耘爪（１８）（１８）を取付け、先端側を同一側方に湾曲させた同一円周上の２本の耕耘爪（１８）（１８）の各運動軌跡（Ｌ２）（Ｌ２）を地中で前後に重複させ、先端側を同一側方に湾曲させた同一円周上の２本の耕耘爪（１８）（１８）を１８０度間隔で耕耘爪軸（１７）に取付けると共に、前記耕耘爪（１８）上側のロータリカバー（１９）後端に第１リヤカバー（２６）を上下方向に揺動自在に連結させ、第１リヤカバー（２６）後端に第２リヤカバー（２７）を介して第３リヤカバー（２８）前端を固定させ、第１リヤカバー（２６）と第３リヤカバー（２８）を左右一対のリンク（３１）によって連結させ、第１リヤカバー（２６）と第３リヤカバー（２６）の間に左右一対のガスダンバ（３７）を連結させたもので、同一耕耘線上を２本の耕耘爪（１８）（１８）が移動することにより、耕耘爪（１８）の回転数を一定に保って耕耘負荷を一定に維持し乍ら、残耕を発生させることなく、走行移動速度を、同一耕耘線上を１本の耕耘爪（１８）が移動する従来の約２倍の速さにして耕耘作業時間を従来の約２分の１に短縮でき、従来と略同一耕耘作業動力で耕耘作業能率を約２倍に向上させることができると共に、前記の２本の耕耘爪（１８）（１８） の各運動軌跡（Ｌ２）（Ｌ２）を地中で前後に略等分に重複させることができ、耕耘爪（１８）による耕耘深さを深くすることができ、かつ残耕を容易に低減できるものである。」と訂正する。
　
(5)【0032】、及び、【0033】を削除する。
　
(2-2)訂正の目的の適否、新規事項の有無及び拡張、変更の存否
　上記訂正(1)は、明細書又は図面に記載された事項の範囲内においてなされたもので、特許請求の範囲の減縮を目的とする。
　上記訂正(2)〜(5)は、明細書又は図面に記載された事項の範囲内においてなされたもので、前記のように特許請求の範囲が訂正されたことに伴い、特許請求の範囲の記載と発明の詳細な説明の記載とを整合させる、明りょうでない記載の釈明を目的とする。
　また、上記訂正事項(1)のうち、(a)「耕耘爪（１８）上側のロータリカバー（１９）後端に第１リヤカバー（２６）を上下方向に揺動自在に連結させ、第１リヤカバー（２６）後端に第２リヤカバー（２７）を介して第３リヤカバー（２８）前端を固定させ、第１リヤカバー（２６）と第３リヤカバー（２８）を左右一対のリンク（３１）によって連結させ、第１リヤカバー（２６）と第３リヤカバー（２６）（２８の誤記。）の間に左右一対のガスダンパ（３７）を連結させた」構成は、リンク(３１)連結点に形成される遊びによる第１リヤカバー(２６)に対する第３リヤカバーのフローティング動作によって第３リヤカバー(２８)の左右傾斜角が左右接地圧差によって敏感に変更され、かつ、ガスダンパ(３７)による第３リヤカバー(２８)の下方弾圧によって、仕上がり耕土表面が常に略一定の適正圧で鎮圧され、耕土をスムーズに排出させるから、走行速度を速くした際に耕耘作業時間の短縮化に寄与するものと認められ、訂正前の特許発明の「本発明は耕耘作業中における走行速度を速くして耕耘作業時間の短縮化を図るようにした耕耘ロータリ作業機に関する。」（特許明細書【0001】参照）を目的とするものといえ、上記(a)の構成を特許請求の範囲に付加することは、実質上特許請求の範囲を変更するものではない。
　
(2-3)独立特許要件
（取消理由通知の概要）
　取消理由通知の概要は、訂正前の本件発明が、本件出願前に頒布された下記刊行物１〜４に記載されたいずれかの発明であるから、本件特許は、特許法第２９条第１項第３号の規定に違反してなされたというものである。
　　　　　　　　　　記
刊行物１：コバシローター（形式KB 172 182 202 222  KB 182F 202F KB 182H 202H 222H）のKOBASI OPEREATION MANUAL 取扱説明書（甲第1号証）
刊行物２：実願昭51-43762号（実開昭52-134501号）のマイクロフィルム（甲第２号証）
刊行物３：特公昭49-38561号公報（甲第３号証）
刊行物４：特公昭39-7354号公報（甲第４号証）
　
　刊行物１(甲第1号証)には、ロータリ耕耘装置の耕耘爪軸上の耕耘爪の取付部が記載され、
第12頁左欄第6行「［２］耕うん爪の取付方法」の下の図面には、「フランジを耕うん爪軸上に複数列配置し、ローター型式KB202は、中間フランジ（４つの耕うん爪が取付けられるフランジ）は図の爪軸の軸芯方向で(マル2）〜(マル11）であり、隣の列の耕うん爪は向かい合っている。」が記載され、
第12頁左欄下4〜1行には、「(3)中間フランジの取付・・・型式・耕巾によってフランジの数が違いますので次表を見て中間フランジに爪を取付けてください。」と記載され、
第12頁右欄の表には、「ロータ形式がKB202は、取付方（ローマ数字1）が（マル2）〜（マル7）、取付方（ローマ数字2）が（マル8）〜（マル11）」が記載され、
〔取付方（ローマ数字1）〕、〔取付方（ローマ数字2）〕の図面には、「一つのフランジに、耕うん爪Ｒと耕うん爪Ｌを交互に位置すると共に、耕うん爪Ｒの取付部はそれぞれ１８０゜位相がズレており、耕うん爪Ｌの取付部もそれぞれ１８０゜位相がズレており、耕うん爪Ｒの取付部と耕うん爪Ｌとの取付部の位相差は９０゜以外の値であって等間隔では装着されず、耕うん爪の点対称に配置される２本の耕うん爪のうち、一方はフランジの表に取り付け、他方はフランジの裏に取り付けたこと。」が記載されている。
　
　刊行物２（甲第２号証）には、
「第２図， 第３図において、正六角形つめ取付板（６）の各辺の側面に、左曲りＬ形づめ（７）及び右曲りＬ形づめ（８）を交互に１本づつ曲り勝手側のシャンク部（９）の側面を当接させるとともに、その先端部を六角形各辺の延長上に突設させて止着し、該正六角形つめ取付板（６），（６）・・・の適当数をその中心を貫通する耕うん軸（５）に等間隔に並べて溶接固着するとともに、両端の正六角形つめ取付板（６）、（６）の間で同一曲りのＬ形づめが耕うん軸（５）上でらせん配置となるようにしたものである。」（第４頁第８〜１７行目）、
「Ｌ形づめ先端回転径約４０cm、花形づめ先端回転径は約４５ｃｍ程度とし、走行速度０．５ｍ／ｓ、ロータリ回転数ｎを２００ｒｐｍ前後と比較的低速にしても良好な結果が得られた。」（第７頁第１〜４行目）、
が記載されている。
　
　刊行物３（甲第３号証）には、
　「・・・４０−１００ｃｍ可及的には５５−８０ｃｍの直径で４５ｃｍ可及的には３５ｃｍの耕耘に適する回転鍬を取付け回転数１００−２５０ｒｐｍ可及的には１３０−１８０ｒｐｍの回転で運転するのが望ましい。・・・例えば、・・・地上速度時速１．５−５Ｋｍで運転し、深さ３５ｃｍの深さで耕耘し」（第８欄８〜１７行目）、
「耕耘爪軸（軸４８）上に複数の耕耘爪（鋤３２′）を植設させる耕耘ロータリ作業機において耕耘爪軸軸芯を中心とする同一円周上に複数の耕耘爪を配設させ、先端側を同一側方に湾曲させた耕耘ロータリ作業機。」（Fig．６、Fig．９）、
が記載されている。               
　
　刊行物４（甲第４号証）には、
「従来のロータリ式耕耘機は、・・・耕耘軸の回転に要する動力が多く、耕耘機自体の前進速度も上げることができない等多くの問題点がある。
　そこで、これらの問題点を解決するため・・・低速耕耘法が着目されだしたのであるが、この低速耕耘法にあっても・・・鋤残しが多くて耕耘の要をなさなくなる点があり、これを除去するには同一回転面上に２本又はそれ以上耕耘爪を設ける複数爪形式にすれば良い・・・」（第１頁左欄第２０行〜下４行）、
が記載されている。
　
　訂正明細書の請求項１に係る発明と刊行物１〜４記載の発明とを対比すると、少なくとも、訂正明細書の請求項１に係る発明が、(a)「耕耘爪（１８）上側のロータリカバー（１９）後端に第１リヤカバー（２６）を上下方向に揺動自在に連結させ、第１リヤカバー（２６）後端に第２リヤカバー（２７）を介して第３リヤカバー（２８）前端を固定させ、第１リヤカバー（２６）と第３リヤカバー（２８）を左右一対のリンク（３１）によって連結させ、第１リヤカバー（２６）と第３リヤカバー（２８）の間に左右一対のガスダンバ（３７）を連結させた」のに対して、刊行物１〜４には、いずれにも、このような構成を有しない点で相違する。
　したがって、訂正明細書の請求項１に係る発明は、刊行物１に記載された発明ではなく、特許法第２９条第１項第３号の規定に該当せず、本件特許出願の際独立して特許を受けることができるものである。
　
(2-4)むすび
　以上のとおりであるから、上記訂正は特許法等の一部を改正する法律（平成６年法律第１１６号。以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。
　
３.本件発明
　訂正後の特許請求の範囲の請求項１に係る発明（以下、本件発明という。）は、次のとおりのものである。
「【請求項１】耕耘爪軸（１７）上に複数の耕耘爪（１８）を植設させる耕耘ロータリ作業機において、耕耘爪軸（１７）軸芯を中心とする同一円周上に２本の耕耘爪（１８）（１８）を配設させ、先端側を同一側方に湾曲させた同一円周上の２本の耕耘爪（１８）（１８）のいずれか一方が地中に突入する間隔に２本の耕耘爪（１８）（１８）を取付け、先端側を同一側方に湾曲させた同一円周上の２本の耕耘爪（１８）（１８）の各運動軌跡（Ｌ２）（Ｌ２）を地中で前後に重複させ、先端側を同一側方に湾曲させた同一円周上の２本の耕耘爪（１８）（１８）を１８０度間隔で耕耘爪軸（１７）に取付けると共に、前記耕耘爪（１８）上側のロータリカバー（１９）後端に第１リヤカバー（２６）を上下方向に揺動自在に連結させ、第１リヤカバー（２６）後端に第２リヤカバー（２７）を介して第３リヤカバー（２８）前端を固定させ、第１リヤカバー（２６）と第３リヤカバー（２８）を左右一対のリンク（３１）によって連結させ、第１リヤカバー（２６）と第３リヤカバー（２８）の間に左右一対のガスダンバ（３７）を連結させたことを特徴とする耕耘ロータリ装置。」（なお、訂正明細書【請求項１】下２行の第３リヤカバー「（２６）」は（２８）の誤りであるので上記のように認定した）。
　
４.特許異議の申立てについて
　申立人の申立ての概要は、訂正前の本件発明が、本件出願前に公然実施をされた発明（下記検甲第１号証）であり、又、本件出願前に頒布された甲第１号証〜甲第４号証記載のいずれかの発明であるから、特許法第２９条第１項第２、３号の規定に違反し、本件特許は同法第１１３条第１項第２号の規定により取り消すべきであり、また、特許査定の謄本送達前にした補正が願書に最初に添付した明細書又は図面に記載した事項の範囲内においてされておらず、特許法第１７条の２第３項に規定する要件を満たしていないから、本件特許は同法第１１３条第１項第１号の規定により取り消すべきであるというものである。
　
（証拠方法）　
(1)検甲第１号証：北海道農業試験場の大形機械格納庫に保管されている小橋ローターKB202
(2)証明書：資料１(甲第１号証）（コバシローター（形式KB 172 182 202 222  KB 182F 202F KB 182H 202H 222H）のKOBASI OPEREATION MANUAL 取扱説明書）に示された同種のコバシローターKB202（検甲第１号証）および当該取扱説明書（資料１）が本件出願前公知であったことの証明書
(3)甲第１号証：コバシローター（形式KB 172 182 202 222  KB 182F 202F KB 182H 202H 222H）のKOBASI OPEREATION MANUAL 取扱説明書
(4)甲第１号証の１（昭和５９年８月２８日株式会社新農林社発行の農機新聞の第５面）
(5)甲第１号証の２（昭和５９年８月１日株式会社新農林社発行の機械化農業第４頁の広告欄）
(6)甲第１号証の３（昭和５９年１月作成のコバシローターKB 172 182 202 222  KB 182F 202F KB 182H 202H 222Hのカタログ）
(7)甲第１号証の４（小橋工業株式会社　PRICE LIST　希望小売価格表〔61年度版〕)
(8)甲第２号証：実願昭５１−４３７６２号（実開昭５２−１３４５０１号）のマイクロフィルム（刊行物２）
(9)甲第３号証：特公昭４９−３８５６１号公報（刊行物３）
(10)甲第４号証：特公昭３９−７３５４号公報（刊行物４）
(11)参考資料１：特開平８−１１６７０１号公報（本件当初明細書）
(12)甲第１号証参考図１：甲第１号証に記載の小橋ローターKB202の耕耘爪が描く爪先端軌跡
(13)甲第１号証参考図１の２：甲第１号証に記載のコバシローターKB202の耕転爪が描く爪先端軌跡(もっとも悪い条件)
(14)甲第１号証参考図２：甲第１号証に記載のコバシローターKB202の耕耘爪が描く爪先端軌跡(最低回転数)
(15)甲第１号証参考図３：甲第１号証に記載のコバシローターKB202の耕耘爪が描く爪先端軌跡（最高回転数）
(16)甲第２号証参考図：甲第２号証に記載の耕転爪が描く爪先端軌跡
(17)甲第３号証参考図：甲第３号証に記載の耕転爪が描く爪先端軌跡
　
(4-1)特許法第２９条第１項第２、３号について
　甲第１号証、及び、甲第２号証〜甲第４号証には、上記刊行物１〜４記載の発明が記載されている。
　
　本件発明と上記甲第１号証の構成を有する検甲第1号証、甲第1号証、及び、甲第2号証〜甲第4号証記載の発明とを対比すると、少なくとも、本件発明が、(a)「耕耘爪（１８）上側のロータリカバー（１９）後端に第１リヤカバー（２６）を上下方向に揺動自在に連結させ、第１リヤカバー（２６）後端に第２リヤカバー（２７）を介して第３リヤカバー（２８）前端を固定させ、第１リヤカバー（２６）と第３リヤカバー（２８）を左右一対のリンク（３１）によって連結させ、第１リヤカバー（２６）と第３リヤカバー（２８）の間に左右一対のガスダンバ（３７）を連結させた」のに対して、刊行物１記載の発明は、このような構成を有しない点で相違する。
　そして、上記以外の証拠方法にも、上記(a)の構成は見あたらない。
　したがって、本件発明が本件出願前に実施された発明とも、本件出願前に頒布された刊行物に記載された発明とも、認められないから、本件特許は特許法第２９条第１項第２、３号の規定に違反してなされたものとすることはできない。
　なお、検甲第1号証（北海道農業試験場の大形機械格納庫に保管されている小橋ローターKB202）には、上記構成(a)が記載されていない以上、検証を行う必要は認められない。
　
(4-2)特許法第１７条の２第３項について
　申立人は、（訂正前の）請求項２に係る発明の「耕耘爪軸(１７)軸心を中心とする同一円周上に２本の耕耘爪(１８)を配設させ」との技術事項は、本件の出願当初の明細書又は図面（参考資料１）に実質的に記載されていなかった事項であるから、本件の特許査定前に成された補正は、特許法第１７条の２第３項の規定に違反して成されたものである。したがって、本件特許は特許法第１１３条第１項の規定によって取り消されるべきである。」（特許異議申立書第7頁下6〜1行）と主張している。
　しかしながら、出願当初の明細書(参考資料１)の【0004】「・・・同一耕耘ライン上に作用する耕耘爪１回転当たりの爪本数を複数とし爪軌跡を重複させることによって、小さな動力で残耕を最小に抑制して、労働時間の短縮と低コスト化を図るものである。」、【0005】「・・・２本の耕耘爪を180度間隔で耕耘爪に設けたもので・・・」、【0017】「前記耕耘爪(１８)はホルダー取付タイプで、耕耘爪(１７)に対して放射方向の同一平面に複数設けるもので、耕耘爪軸(１７)外周の円周一列に４本のホルダー(４８ａ)(４８ｂ)を９０゜間隔で半径方向に突設させている。」、【0026】「・・・そこでこの２倍速（２Ｖ）とした場合の残耕部分（Ｍ２）を最小に縮小させるために、爪本数を１８０度間隔に２本設けて、図１に示す如き２本の爪(１８)で爪軸(１７)１回転当たりに対し１８０度位相をずらした２つの爪軌跡（Ｌ２）で耕耘作業を行わしめて・・・」及び、【図７】を、参照すれば、同一耕耘ライン上を耕耘する２本の耕耘爪が、耕耘爪軸の同一断面上にを植設されたことが読みとれ、「耕耘爪軸(１７)軸心を中心とする同一円周上に２本の耕耘爪(１８)を配設させ」た構成が、出願当初の明細書又は図面に記載されていることは明らかであって、申立人の上記主張は、理由がない。
　
５.むすび
　以上のことから、申立人の申し立ての理由及び提出した証拠方法によっては、本件特許を取り消すことができない。
　また、他に本件特許を取り消すべき理由を発見しない。
　よって、結論のとおり決定する。
【異議決定日】
平成１２年４月３日（２０００．４．３）
【訂正の要旨】
訂正の要旨
　本件訂正の趣旨は、特許請求の範囲の減縮を目的とし、特許請求の範囲が訂正されたことに伴い、特許請求の範囲の記載と発明の詳細な説明の記載とを整合させる、明りょうでない記載の釈明を目的として訂正明細書のとおり次のように訂正する。
（１）【特許請求の範囲】の「【請求項１】〜【請求項３】」の記載を、「【請求項１】耕耘爪軸（１７）上に複数の耕耘爪（１８）を植設させる耕耘ロータリ作業機において、耕耘爪軸（１７）軸芯を中心とする同一円周上に２本の耕耘爪（１８）（１８）を配設させ、先端側を同一側方に湾曲させた同一円周上の２本の耕耘爪（１８）（１８）のいずれか一方が地中に突入する間隔に２本の耕耘爪（１８）（１８）を取付け、先端側を同一側方に湾曲させた同一円周上の２本の耕耘爪（１８）（１８）の各運動軌跡（Ｌ２）（Ｌ２）を地中で前後に重複させ、先端側を同一側方に湾曲させた同一円周上の２本の耕耘爪（１８）（１８）を１８０度間隔で耕耘爪軸（１７）に取付けると共に、前記耕耘爪（１８）上側のロータリカバー（１９）後端に第１リヤカバー（２６）を上下方向に揺動自在に連結させ、第１リヤカバー（２６）後端に第２リヤカバー（２７）を介して第３リヤカバー（２８）前端を固定させ、第１リヤカバー（２６）と第３リヤカバー（２８）を左右一対のリンク（３１）によって連結させ、第１リヤカバー（２６）と第３リヤカバー（２６）の間に左右一対のガスダンバ（３７）を連結させたことを特徴とする耕耘ロータリ装置。」と訂正する。
（２）【０００４】を、「【課題を解決するための手段】　然るに、本発明は、耕耘爪軸上に複数の耕耘爪を植設させる耕耘ロータリ作業機において、耕耘爪軸軸芯を中心とする同一円周上に２本の耕歳爪を配設させ、先端側を同一側方に湾曲させた同一円周上の２本の耕耘爪のいずれか一方が地中に突入する間隔に２本の耕耘爪を取付け、先端側を同一側方に湾曲させた同一円周上の２本の耕耘爪の各運動軌跡を地中で前後に重複させ、先端側を同一側方に曲させた同一円周上の２本の耕耘爪を１８０度間隔で耕耘爪軸に取付けると共に、前記耕耘爪上側のロータリカバー後端に第１リヤカバーを上下方向に揺動自在に連結させ、第１リヤカバー後端に第２リヤカバー）を介して第３リヤカバー前端を固定させ、第１リヤカバーと第３リヤカバーを左右一対のリンクによって連結させ、第１リヤカバーと第３リヤカバーの間に左右一対のガスダンパを連結させたもので、同一耕耘線上を２本の耕耘爪が移動することにより、耕耘爪の回数を一定に保って耕耘負荷を一定に維持し乍ら、残耕を発生させることなく、走行移動速度を、同一耕耘線上を１本の耕耘爪が移動する従来の約２倍の速さにして耕転作業時間を従来の約２分の１に短縮し得、従来と略同一耕転作業動力で耕耘作業能率を約２倍に向上させ得ると共に、前記の２本の耕耘爪の各運動軌跡を地中で前後に略等分に重複させ得、耕耘爪による耕耘深さを深くし得、かつ残耕を容易に低減し得るものである。」と訂正する。
（３）【０００５】、及び、【０００６】を削除し、【０００７】〜【００３０】を【０００５】〜【００２８】に、順次、変更する。
（４）【００３１】を「【００２９】【発明の効果】以上実施例から明らかなように本発明は、耕耘爪軸（１７）上に複数の耕耘爪（１８）を植設させる耕耘ロータリ作業機において、耕耘爪軸（１７）軸芯を中心とする同一円周上に２本の耕耘爪（１８）（１８）を配設させ、先端側を同一側方に湾曲させた同一円周上の２本の耕耘爪（１８）（１８）のいずれか一方が地中に突入する間隔に２本の耕耘爪（１８）（１８）を取付け、先端側を同一側方に湾曲させた同一円周上の２本の耕耘爪（１８）（１８）の各運動軌跡（Ｌ２）（Ｌ２）を地中で前後に重複させ、先端側を同一側方に湾曲させた同一円周上の２本の耕耘爪（１８）（１８）を１８０度間隔で耕耘爪軸（１７）に取付けると共に、前記耕耘爪（１８）上側のロータリカバー（１９）後端に第１リヤカバー（２６）を上下方向に揺動自在に連結させ、第１リヤカバー（２６）後端に第２リヤカバー（２７）を介して第３リヤカバー（２８）前端を固定させ、第１リヤカバー（２６）と第３リヤカバー（２８）を左右一対のリンク（３１）によって連結させ、第１リヤカバー（２６）と第３リヤカバー（２６）の間に左右一対のガスダンバ（３７）を連結させたもので、同一耕耘線上を２本の耕耘爪（１８）（１８）が移動することにより、耕耘爪（１８）の回転数を一定に保って耕耘負荷を一定に維持し乍ら、残耕を発生させることなく、走行移動速度を、同一耕耘線上を１本の耕耘爪（１８）が移動する従来の約２倍の速さにして耕耘作業時間を従来の約２分の１に短縮でき、従来と略同一耕耘作業動力で耕耘作業能率を約２倍に向上させることができると共に、前記の２本の耕耘爪（１８）（１８）の各運動軌跡（Ｌ２）（Ｌ２）を地中で前後に略等分に重複させることができ、耕耘爪（１８）による耕耘深さを深くすることができ、かつ残耕を容易に低減できるものである。」と訂正する。
（５）【００３２】、及び、【００３３】を削除する。
（５４）【発明の名称】
耕耘ロータリ作業機
（５７）【特許請求の範囲】
　【請求項１】　耕耘爪軸（１７）上に複数の耕耘爪（１８）を植設させる耕耘ロータリ作業機において、耕耘爪軸（１７）軸芯を中心とする同一円周上に
２本
２本の
一方
２本の
２本の
先端側を同一側方に湾曲させた同一円周上の２本の耕耘爪（１８）（１８）を１８０度間隔で耕耘爪軸（１７）に取付けると共に、前記耕耘爪（１８）上側のロータリカバー（１９）後端に第１リヤカバー（２６）を上下方向に揺動自在に連結させ、第１リヤカバー（２６）後端に第２リヤカバー（２７）を介して第３リヤカバー（２８）前端を固定させ、第１リヤカバー（２６）と第３リヤカバー（２８）を左右一対のリンク（３１）によって連結させ、第１リヤカバー（２６）と第３リヤカバー（２６）の間に左右一対のガスダンパ（３７）を連結させた
【発明の詳細な説明】
　【０００１】
　【産業上の利用分野】
　本発明は耕耘作業中における走行速度を速くして耕耘作業時間の短縮化を図るようにした耕耘ロータリ作業機に関する。
　【０００２】
　【従来の技術】
　従来、トラクタや耕耘機の後部に耕耘ロータリを付設し、このロータリによって耕耘作業を行っているが、耕耘作業時の走行速度をできるだけ速くして作業時間を短縮させることが作業能率の向上を図るうえで望まれている。
　【０００３】
　【発明が解決しようとする課題】
　しかし乍ら、このように走行速度を高速とさせた場合、耕耘ロータリの回転を従来の標準回転数に維持させると残耕が大となり、また走行速度に応じ耕耘ロータリの回転を増大させるとその分所要動力が大となるなどの欠点があった。
　【０００４】
　【課題を解決するための手段】
　然るに、本発明は、耕耘爪軸上に複数の耕耘爪を植設させる耕耘ロータリ作業機において、耕耘爪軸軸芯を中心とする同一円周上に
２本
２本の
一方
２本の
２本の
先端側を同一側方に湾曲させた同一円周上の２本の耕耘爪を１８０度間隔で耕耘爪軸に取付けると共に、前記耕耘爪上側のロータリカバー後端に第１リヤカバーを上下方向に揺動自在に連結させ、第１リヤカバー後端に第２リヤカバー）を介して第３リヤカバー前端を固定させ、第１リヤカバーと第３リヤカバーを左右一対のリンクによって連結させ、第１リヤカバーと第３リヤカバーの間に左右一対のガスダンパを連結させた
同一耕耘線上を２本の耕耘爪が移動することにより、
爪
一定
同一耕耘線上を１本の耕耘爪が移動する従来の約２倍の速さ
従来の約２分の１
従来と略同一
で
を約２倍に
させ得ると共に、前記の２本の耕耘爪の各運動軌跡を地中で前後に略等分に重複させ得、耕耘爪による耕耘深さを深くし得、かつ残耕を容易に低減し
　【０００５】
　【実施例】
　以下、本発明の実施例を図面に基づいて詳述する。図１は耕耘爪の運動爪軌跡、図２は全体の側面図、図３は同平面図、図４は耕耘ロータリ作業機の側面説明図、図５はリヤカバーのフローティング説明図である。図中（１）は前後車輪（２）（３）を有するトラクタであり、運転席（４）前方の操向ハンドル（５）によって前輪（２）を方向転換させて走行進路を変更するように構成している。なお（６ａ）は主変速レバー、（６ｂ）は副変速レバー、（６ｃ）はＰＴＯ変速レバーである。
　【０００６】
　また、トラクタ（１）にロワリンク（７）を介してサイドドライブ型の耕耘ロータリ作業機（８）を装着させるもので、中央にギアボックス（９）を配置し、ユニバーサルジョイント付ドライブ軸（１０ａ）を介してトラクタ（１）のＰＴＯ軸（１０）に入力軸（９ａ）を連結して動力を伝えるようにしている。前記ギアボックス（９）側面より両側方にビーム（１１）を突出し、該ビーム（１１）のそれぞれの中途部に支持プレート（１２）を固設し、該支持プレート（１２）の前端にはロワリンク（７）を枢結するピンを突設し、後端にはデプスフレーム（１３）の前端を枢支し、マスト（１４）の前端にトップリンク（１５）の枢結部を構成している。
　【０００７】
　前記ビーム（１１）の外側端にチェーンケース（１６）上部を固設し、該チェーンケース（１６）下部に耕耘爪軸（１７）を横架し、該耕耘爪軸（１７）上にナタ爪よりなる多数の耕耘爪（１８）…を側面視で放射状に植設させると共に、該耕耘爪（１８）の回転軌跡上方をロータリカバー（１９）によって覆い、両側をサイドカバー（２０）によって覆っている。そして、該耕耘爪軸（１７）はギアボックス（９）内のギア、ビーム（１１）内の伝動軸、チェーンケース（１６）内のスプロケット及びチェーンを介して駆動し、耕耘爪（１８）…を回転させることによって耕耘を行うようにしている。
　【０００８】
　そして、チェーンケース（１６）の上部内側面より前方にプレート（２１）を固設し、該プレート（２１）前端に支持杆（２２）を横架させ、該支持杆（２２）に取付プレート（２３）を固定させ、該取付プレート（２３）に切断刃（２４）の上部を固定させている。なお、切断刃（２４）を左右幅方向に４本装着しているが、耕耘爪（１８）数本おきに切断刃（２４）を配設することになる。また、切断刃（２４）の中間部を後方に湾曲させ、この中間部を前記耕耘爪（１８）の回転軌跡の前部内に臨ませると共に、中間より下部先端側を前方に傾斜させるように設けている。つまり、側面視において切断刃（２４）の中間部を耕耘爪（１８）の回転軌跡の前部でオーバーラップするように配置させると共に、切断刃（２４）と耕耘爪（１８）の間隔を狭くして残耕ができないようにすると共に、耕耘作業中の耕耘抵抗によって作業機（８）が持上り状態となるのを切断刃（２４）の地中突入作用でもって抑制している。但し、耕耘爪（１８）と耕耘爪（１８）の全ての間に切断刃（２４）を設けることはなく、耕耘抵抗とならないように適宜間隔をあけても良い。
　【０００９】
　さらに、耕耘爪（１８）上側のロータリカバー（１９）後端に第１支点軸（２５）を介して鋼板製第１リヤカバー（２６）を上下方向に揺動自在に連結させ、第１リヤカバー（２６）後端に合成樹脂またはゴムなどの弾性材製第２リヤカバー（２７）前端を固定させ、第２リヤカバー（２７）後端に鋼板製第３リヤカバー（２８）前端を固定させると共に、第１リヤカバー（２６）後端部の第２支点軸（２９）と第３リヤカバー（２８）前端部の第３支点軸（３０）を左右一対のリンク（３１）（３１）によって連結させ、第３支点軸（３０）と略同軸上に第４支点軸（３２）を設け、第４支点軸（３２）に第１吊下ロッド（３３）下端を連結させ、第３リヤカバー（２８）後端部の第５支点軸（３４）に左右一対の第２吊下ロッド（３５）下端を連結させ、第１リヤカバー（２６）の支持体（３６）に第１及び第２吊下ロッド（３３）（３５）上端側を昇降自在に取付け、各吊下ロッド（３３）（３５）と第３リヤカバー（２８）によって側面視三角形を形成させ、また第２及び第３及び第５支点軸（２９）（３０）（３４）を結ぶ線によって側面視三角形を形成させたもので、第２支点軸（２９）または第３支点軸（３０）を中心に第３リヤカバー（２８）を矢印（Ａ）及び（Ｂ）の方向に上方移動させ、第２支点軸（２９）及び支持体（３６）の吊下ロッド（３３）（３５）連結部を支点とした前記カバー（２８）及び各ロッド（３３）（３５）の両てこ機構の動作により各ロッド（３３）（３５）の下方突張りによって前方移動が規制される第３リヤカバー（２８）を矢印（Ｃ）の方向に後上方に移動させ、図６の如く、第３リヤカバー（２８）両側部が平面視で矢印（Ｄ）の方向に前後移動するフローティング動作を行わせる。また、第５支点軸（３４）と第１リヤカバー（２６）の支持体（３６）間に左右一対のガスダンパ（３７）を連結させたもので、全ストローク略一定のバネ定数が得られかつストロークも大きく形成できるガスダンパ（３７）によって第３リヤカバー（２８）を支持させ、トラクタ（１）が左右に傾いても第３リヤカバー（２８）の左右均等な加圧によって耕耘面を均すことができるように構成している。なお、ガスダンパ（３７）に代え、オイルダンパまたは多重コイルバネなどを用いてもよい。
　【００１０】
　また、前記吊下ロッド（３３）（３５）上端側を支持体（３６）…の軸受体（３８）…に遊嵌挿入させ、軸受体（３８）…の上面側に当接するロッド（３３）（３５）のピンによってロッド（３３）（３５）の下方抜出しを防ぎ、矢印（Ａ）（Ｂ）（Ｃ）とは反対方向への第３リヤカバー（２８）の移動を阻止すると共に、スプリング（３９）（３９）を巻装させた左右一対のロッド（４０）（４０）下端を第１リヤカバー（２６）上面に連結させ、前記ロッド（４０）上端側をロータリカバー（１９）の支持体（４１）に摺動自在に取付け、第１リヤカバー（２６）をスプリング（３９）によって加圧するように構成している。
　【００１１】
　また、前記第３リヤカバー（２８）上面にレーキ支持体（４２）を着脱自在に固定させ、該支持体（４２）に固定させるレーキ（４３）を第３リヤカバー（２８）後方に延出させている。
　【００１２】
　さらに、図６に示す如く、第２吊下ロッド（３５）上端側を取付ける支持体（３６）の軸（４４）に前記ガスダンパ（３７）上端を連結させ、第２吊下ロッド（３５）とガスダンパ（３７）を可及的に接近させて略平行に設けると共に、前記デプスフレーム（１３）後端に支持フレーム（４５）を介して左右一対の尾輪（４６）（４６）を取付け、左右尾輪（４６）（４６）間に前記レーキ（４３）を配設させている。
　【００１３】
　また、前記リヤカバー（２６）（２７）（２８）の左右幅略中央に１本の第１吊下ロッド（３３）を位置させ、第１吊下ロッド（３３）の左右側方に左右ロッド（４０）（４０）を配置させ、左右ロッド（４０）（４０）のさらに左右外側方に左右二組の第２吊下ロッド（３５）及びガスダンパ（３７）を配置させ、第２吊下ロッド（３５）及びガスダンパ（３７）のさらに左右外側方に左右リンク（３１）（３１）を配置させ、第１及び第３リヤカバー（２６）（２８）の左右側端部を左右リンク（３１）（３１）によって連結させている。
　【００１４】
　図７にも示す如く、前記耕耘爪軸（１７）にビーム（１１）内の伝動軸及びチェーンケース（１６）内のチェーンを介し、前記入力軸（９ａ）に入力される駆動力を伝達して耕耘爪（１８）を回転するもので、耕耘爪軸（１７）の両端に耕耘巾拡大用の左右の偏心爪（４７）を取付けると共に、左右の偏心爪（４７）間に略等間隔に多列状に耕耘爪（１８）を取付けている。
　【００１５】
　前記耕耘爪（１８）はホルダー取付タイプで、耕耘爪軸（１７）に対して放射方向の同一平面に複数本設けるもので、耕耘爪軸（１７）外周の円周一列に４本のホルダー（４８ａ）（４８ｂ）を９０°間隔で半径方向に突設させている。
　【００１６】
　そして前記ホルダー（４８ａ）（４８ｂ）にナギナタ形状のナタ爪よりなる耕耘爪（１８）を装備させるもので、該耕耘爪（１８）は切り込んでから土を反転させるために先端部を右または左に交互に湾曲させていて、１８０°対向位置の耕耘爪（１８）の湾曲方向を右または左方向に同一とするように爪軸（１７）の同一断面に取付けられた４本のホルダー（４８ａ）（４８ｂ）に装着させている。
　【００１７】
　また図８乃至図１０に示す如く、左右ホルダー（４８ａ）（４８ｂ）に装着される対向の耕耘爪（１８）（１８）の基部間隔（Ｔ）を大きな間隙の５とするのに対し、先端爪軌跡（Ｌ）間隙である間隔（ｔ）を略１（Ｔ：ｔ≒５：１）とするように設けるもので、該実施例において、回転半径ａを約２４５ｍｍ程度とすると、基部間隔（Ｔ）は２００ｍｍであり、先端間隔（ｔ）は４０ｍｍ程度の間隙を開口して、基部間隔（Ｔ）を大とさせ耕耘爪（１８）の取付本数を減少させることによって、所要動力の低減化を図って、同一動力での耕耘時余力分を速度に回して高速耕耘を可能とさせるように構成したものである。
　【００１８】
　次に図９乃至図１０において、弾力性を発揮させるべく構成したナギナタ形状のナタ爪の構成について説明する。図９に示す如く、側面視において逆Ｃ型に湾曲させ、該湾曲した逆Ｃの突出側に刃部（１８ｃ）を設け、該刃部（１８ｃ）の側に向いて回転する点は従来のナタ爪と同じであるが、前記ホルダー（４８ａ）（４８ｂ）に挿入する爪座挿入部（１８ａ）の部分を耕耘爪軸（１７）の中心Ｏ１より方向をずらしたワンタッチ装着爪の形状に形成して、簡単に挿入して耕耘を行うことにより、爪座挿入部（１８ａ）の楔部分をホルダー（４８ａ）（４８ｂ）に食い込ませて固定する構成としたものである。
　【００１９】
　そして、耕耘爪軸（１７）に装着した状態で、耕耘爪軸（１７）の回転と共に、耕耘爪（１８）を回転させる回転半径をａとし（該実施例においては、約２４５ｍｍ程度）、該耕耘爪（１８）を、図１０に示す如く、平面視において、先端に行く程、徐々に湾曲させ、該湾曲中心Ｏ２からの湾曲半径ｅを約１２０ｍｍとし、湾曲半径ｅと回転半径ａの比率を１対２程度に構成し、回転方向からみた場合手前の刃部（１８ａ）と背部（１８ｄ）との間に土掬い面を有する湾曲部（１８ｂ）を形成して、弾性を発揮させるように構成している。
　【００２０】
　さらに、耕耘爪（１８）の厚み自体を、先端に至る程徐々に薄くなるように構成しており、この厚さが薄くなることによっても、積極的に弾力性を発揮できるように構成するもので、該実施例において、湾曲半径ｅの最初の部分では基部厚みｃが５ｍｍ程度であるのに対して、先端厚みｄを略３ｍｍ程度と薄くなるように構成して、基部厚みｃに対する先端厚みｄの比率を、５対３程度に構成している。
　【００２１】
　また図１０において、爪座挿入部（１８ａ）の端部から、耕耘爪（１８）の先端の側方への突出距離である側方湾曲幅ｂと回転半径ａとの比率を略１：３として、従来の塑性を発揮する側方湾曲幅の構成爪に対し、湾曲幅ｂを大きくとることによって、弾性を一層発揮させるように構成している。
　【００２２】
　つまり、前記耕耘爪（１８）は土を切取った後に掬取る形状に中間から先端側を側方に大きく湾曲させて、大きな湾曲巾（ｂ）（ｂ≒８０ｍｍ）の湾曲部（１８ａ）を有する変形し易い弾性爪に形成して、耕耘爪（１８）の土中打込み時において湾曲部（１８ａ）の水平分力により土を湾曲横方向に押移動させる力と、耕耘爪（１８）を土の抵抗負荷によって反湾曲方向に弾性変形させるときの横方向の反撥力とによって、掬取り土を図５矢印の耕耘爪軸（１７）に略平行な横方向に押出す状態とさせて、対向する左右耕耘爪（１８）の先端軌跡（Ｌ）間に残耕として残る土部分を破砕して、残耕が形成されるのを効果的に防止するように構成したものである。またこの場合切断終了地点近傍まで爪（１８）が回転して土の抵抗負荷が小となるとき、爪（１８）打込み時の弾性変形による復元弾性力によって残耕として残る土部分を横方向より破砕して、一層破砕効果を向上させると共に、切断土壌自体にも弾性戻り力による歪み力を与えて土壌を膨軟な細土にまで破砕するように構成したものである。
　【００２３】
　このように、ロータリ作業機（７）の耕耘爪（１８）の本数を従来のロータリ作業機に比べ例えば７０％程度とすることによって、走行速度を従来の２倍とする高速耕耘も可能とさせるものである。
　【００２４】
　図１、図１１乃至図１３に示す如く、トラクタ（１）の走行速度は通常の耕耘作業時の標準速度（Ｖ）に対し２倍速（２Ｖ）の高速作業を行うもので、圃場の同一耕耘ライン上を耕耘する爪本数が１本で標準速度（Ｖ）で機体が走行され、図１１に示す如き爪軌跡（Ｌ１）で作業が行われる場合、ハッチングで示される部分（Ｍ１）が残耕として残り、また同一爪軸回転数で走行速度を２倍速（２Ｖ）として爪軌跡（Ｌ２）で作業が行われる場合には、爪軌跡（Ｌ２）は前後に重複することなく標準速度時の耕耘ピッチ（Ｐ）の２倍の耕耘ピッチ（２Ｐ）とさせて、ハッチングで大きく示される部分（Ｍ２）を残耕として残す。そこでこの２倍速（２Ｖ）とした場合の残耕部分（Ｍ２）を最小に縮小させるために、爪本数を１８０度間隔に２本設けて、図１に示す如き２本の爪（１８）で爪軸（１７）１回転当りに対し１８０度位相をずらした２つの爪軌跡（Ｌ２）で耕耘作業を行わしめて、標準速度（Ｖ）時の耕耘ピッチ（Ｐ）と同一ピッチ（Ｐ）とさせ、ハッチングで示される残耕部分（Ｍ３）を最小に縮小させるもので、同一爪軸回転数で走行速度（Ｖ）を２倍速（２Ｖ）とさせた場合にも耕耘ピッチ（Ｐ）を同一に保った作業を可能とさせて、所要動力を増大させることなく労働時間の短縮化と低コスト化を図るように構成したものである。
　【００２５】
　図１２は走行速度が標準速度（Ｖ）の１．８ｋｍ／ｈ（０．５ｍ／ｓ）・爪本数１本・爪の回転半径１２０ｍｍ・爪軸回転数１７２ｒｐｍで耕耘作業が行われるとき、耕耘ピッチ（Ｐ）が１７４ｍｍとなる場合の爪軌跡（Ｌ１）を表わし、また図１３は走行速度が２倍速（２Ｖ）の３．６ｋｍ／ｈ（１．０ｍ／ｓ）・爪本数２本・爪軸回転数１７２ｒｐｍで耕耘作業が行われるとき、耕耘ピッチ（Ｐ）が同一の１７４ｍｍとなる場合の爪軌跡（Ｌ２）を表わしたもので、走行速度を２倍に増速させても残耕部つまり耕盤の凹凸を標準速度（Ｖ）時同様に小さく抑えた耕耘作業を可能とさせたもので、耕耘爪軸（１７）軸芯を中心とする同一円周上に２本の耕耘爪（１８）（１８）を配設させ、先端側を同一側方に湾曲させた同一円周上の２本の耕耘爪（１８）（１８）のいずれか一方が地中に突入する間隔に２本の耕耘爪（１８）（１８）を取付け、先端側を同一側方に湾曲させた同一円周上の２本の耕耘爪（１８）（１８）の各運動軌跡（Ｌ２）（Ｌ２）を地中で前後に重複させ、同一耕耘線上を２本の耕耘爪（１８）（１８）が移動することにより、耕耘爪（１８）の回転数を一定に保って耕耘負荷を一定に維持し乍ら、残耕を発生させることなく、走行移動速度を、同一耕耘線上を１本の耕耘（１８）が移動する従来の約２倍の速さにして耕耘作業時間を従来の約２分の１に短縮させ、従来と略同一耕耘作業動力で耕耘作業能率を約２倍に向上させるように構成している。
　【００２６】
　つまり、走行速度が高速となっても常に地表面のライン（Ｇ）より以下で、爪軌跡（Ｌ１）（Ｌ２）を最大に重複する状態を保たせることによって、残耕部分（Ｍ１）（Ｍ２）（Ｍ３）を最小とさせた耕耘作業が可能となるもので、実施例以外に例えば同一の爪軸回転数で走行速度を標準の３倍速（３Ｖ）としたときに爪本数を３本とした場合にも略同様の結果が得られるもので、耕耘爪軸（１７）上に複数の耕耘爪（１８）を植設させる耕耘ロータリ作業機において、耕耘爪軸（１７）軸芯を中心とする同一円周上に複数の耕耘爪（１８）を配設させ、先端側を同一側方に湾曲させた同一円周上の各耕耘爪（１８）のいずれか１本が地中に突入する間隔に各耕耘爪（１８）を取付け、先端側を同一側方に湾曲させた同一円周上の各耕耘爪（１８）の各運動軌跡（Ｌ２）を地中で前後に重複させ、耕耘爪軸（１７）の回転数を略一定に保って耕耘負荷を略一定に維持し乍ら、残耕を発生させることなく走行移動速度を高速にして耕耘作業時間を短縮させ、耕耘作業動力を増大させることなく耕耘作業能率の向上などを行えるように構成している。
　【００２７】
　また、同一の爪軸回転数で走行速度を標準の２倍速（２Ｖ）或いは３倍速（３Ｖ）などに増速させた場合には、耕耘爪（１８）が地表面より抜け出ようとしたときの脱出角度つまり地表面ライン（Ｇ）と爪軌跡（Ｌ２）の交角（α２）が標準速度（Ｖ）時の交角（α１）より大（α２＞α１）となって、該爪（１８）の地表面よりの脱出時には、土の持上げ力を増大させる状態とさせて、土壌の切断反転や破砕を一層助長させて耕耘性能を向上させることができるものである。
　【００２８】
　なお耕耘爪（１８）の本数が２本で、車速が１〜１．５ｍ／ｓ・耕耘爪（１８）の回転半径（ａ）が略２４０〜２５０ｍｍ・爪軸回転数略１５０〜４７０ｒｐｍ、耕耘ピッチ略１５０〜３００ｍｍ条件での作業が最も推奨されるもので、先端側を同一側方に湾曲させた同一円周上の２本の耕耘爪（１８）（１８）を１８０度間隔で耕耘爪軸（１７）に取付け、前記の２本の耕耘爪（１８）（１８）の各運動軌跡（Ｌ２）（Ｌ２）を地中で前後に略等分に重複させ、耕耘爪（１８）による耕耘深さを深くし、かつ残耕を低減できるように構成している。
　【００２９】
　【発明の効果】
　以上実施例から明らかなように本発明は、耕耘爪軸（１７）上に複数の耕耘爪（１８）を植設させる耕耘ロータリ作業機において、耕耘爪軸（１７）軸芯を中心とする同一円周上に
２本
２本の
一方
２本の
２本の
先端側を同一側方に湾曲させた同一円周上の２本の耕耘爪（１８）（１８）を１８０度間隔で耕耘爪軸（１７）に取付けると共に、前記耕耘爪（１８）上側のロータリカバー（１９）後端に第１リヤカバー（２６）を上下方向に揺動自在に連結させ、第１リヤカバー（２６）後端に第２リヤカバー（２７）を介して第３リヤカバー（２８）前端を固定させ、第１リヤカバー（２６）と第３リヤカバー（２８）を左右一対のリンク（３１）によって連結させ、第１リヤカバー（２６）と第３リヤカバー（２６）の間に左右一対のガスダンパ（３７）を連結させた
同一耕耘線上を２本の耕耘爪（１８）（１８）が移動することにより、
爪
一定
同一耕耘線上を１本の耕耘爪（１８）が移動する従来の約２倍の速さ
従来の約２分の１に
従来と略同一
で
を約２倍に
させることができると共に、前記の２本の耕耘爪（１８）（１８）の各運動軌跡（Ｌ２）（Ｌ２）を地中で前後に略等分に重複させることができ、耕耘爪１８による耕耘深さを深くすることができ、かつ残耕を容易に低減
【図面の簡単な説明】
　【図１】耕耘爪の運動軌跡である。
　【図２】全体の側面図である。
　【図３】全体の平面図である。
　【図４】耕耘ロータリ作業機の側面説明図である。
　【図５】リヤカバー部の側面説明図である。
　【図６】リヤカバー部の平面説明図である。
　【図７】耕耘爪軸部の背面説明図である。
　【図８】耕耘爪部の背面説明図である。
　【図９】耕耘爪の側面説明図である。
　【図１０】耕耘爪の平面説明図である。
　【図１１】耕耘爪の運動軌跡である。
　【図１２】耕耘爪の運動軌跡である。
　【図１３】耕耘爪の運動軌跡である。
　【符号の説明】
　　（１７）耕耘爪軸
　　（１８）耕耘爪
　　（Ｌ２）運動軌跡